(57)【要約】      （修正有）【課題】歩行に支障をきたしている方達の歩行補助をする。【解決手段】ズボン内側中心部の両サイドに布等で細長いトンネル状にしたものをズボンの一番下側より少し上にまで設ける。トンネル状内部伸縮自在のゴムを片方のトンネル内を貫通させ下部から出てきたゴム等をＵターンさせ反対側のトンネル内を貫通させ両サイドの上部にと固定する。ズボンに足を入れてはいたならば、内部のＵターンになっているゴム部分に両足の土踏まずは、完全に密着して体重の重みでゴムは伸びることになる。歩行を開始すれば、伸縮自在物体は足を後ろに上げれば体重の負荷は反対の足に行くので足上げたほうの負荷は無くなるので伸びているゴム等の反発力で縮むことになり足を上げるのになんら負担なく歩行の補助となる。【選択図】図５
2007197880.tif 000002
【特許請求の範囲】
新聞や牛乳を配達する人や、足上がりが悪くなって、歩行をするのに支障をきたしている人達に着用しているズボンに、別個に独立した伸縮自在物体ゴム等を組み合わせ、歩行することにより体重は交互に足に負荷がかかるので、ズボンと別個に単独で組み合わせられているゴムは体重負荷と連動して足に伝わるので、伸縮する反発力を活用して楽チンで歩行することができることを特徴とした「ゴム付き歩行補助ズボン」
【発明の詳細な説明】
新聞や牛乳を配達している人や、足上がりが悪くなって、歩行するのに支障をきたして歩くことは苦痛でたまらない等という方たちの話を聞くたびに、何とか良い方法がないものだろうかと本発明者は日夜不眠不休で研究を重ねた。
その結果本発明者は、安価で手っ取り早く、しかも仰々しい補助具などを全く用いることなく、通常体で使用ができ、その上本人も体に負担が生じないので歩くことが楽しくなり、且つ健康維持にこの上も無いと言う全く新規なる「反発力活用足上がり楽チン伸縮自在装置」なるものを、この世に初めて発明をした。
本日ここに、その発明の原理とメカニズムを発表するものである。
まずはを細長い空洞にできているトンネル状にできているものを設ける。
そのトンネル内部にズボンとは別個に単独である伸縮物体のゴムを貫通し、その反発力を活用して鈍重な足上がりを負担をかけることなく軽やかにするものである。
伸縮自在物体はズボン等の内側又は外側のいずれに設置しても伸縮自在物体の反発力に支障をきたさない構造のしたズボン等で無ければならない。
次に、一例を上げて説明する。
先ずはズボン等の内側の中心部の両サイドに布等で図１、図３、図４、などで示
2007197880.tif 000003
うに少し上にまで設ける。（このトンネルはその人の足の長さによってゴムの反発力が異なるのでトンネルの長さ並びにゴムの長さは調節できる構造にしておいたほうが都合が良い。）
次に図１に示すようにトンネル状内部の空洞部分に伸縮自在可能な物体を片方のトンネル内を貫通しトンネル下部から出てきたゴム等をズボン等の内径巾にやや余裕をもった状態でＵターンし、反対側のトンネル内を貫通させ両サイドの上部にしっかりと固定する。
その一方を右足のズボンであるとすればその反対の左足を入れるズボンも同じ構造とする。
次に両足をズボン等に足を入れて履いたならば、内部のＵターンになっているゴム部分に両足の土踏まずは、完全に密着しその体重の重みでゴムは伸びることになる。
次に歩行を開始すれば、伸縮自在物体は足を後ろに上げれば体重は反対の足に行くので足を上げたほうの力がなくなる。
伸びているゴム等の反発力で縮むことになり足を上げるのになんら負担はない。
このことを両足で繰り返えして歩いていれば足の負担が従来の数分の一に減少するので、足上がりが悪くなり歩くことが難儀である等ということは完全に解消できるものである。
このような構造にできている本発明の「ゴム付き歩行補助ズボン」を着用して歩くことは、健康によいと言うことはゆうまでもないが、健康の壷ともいわれている足裏の土踏まずの部分がゴム等の伸縮作用により、常に程よい刺激を与え続けられる。
したがって血流の流れは活発に活性化するので健康対策には一石二鳥にも三鳥にもなる。  更に付け加えるならば、伸縮自在物体はズボン等の内側に設置されているズボンを履いたのであれば、外部からはそのような装置を用いている等とは誰が見ても全く分からない。
【図面の簡単な説明】
【図１】は本発明の側面を裁断した構造を示す裁断拡大側面図。
【図２】は本発明をズボンに設置して下から見上げ足を乗せない状態を示す正面図。
【図３】は本発明をズボンの中の内側に設置していることを示す拡大側面図。
【図４】は本発明を、ズボンの左足側の片方の内側に設置したことを示す透視側図。
【図５】は足上がりが悪くなり、歩行が困難な老人が本発明の「反発力活用足上り楽チン伸縮自在装置」を設置したズボンを着用して散歩したら、足上がりが良いので楽しくなり鼻歌を歌いながら散歩をしていることを示す斜視図。（ズボンの部分は内部構造の透視斜視図であり、矢印の部分はゴム等の反発力を示しているものである。）
【符号の説明】
（１）はトンネル、（２）はゴム、（３）はズボン、（４）はトンネル押さえ、（５）はゴム等の反発力、（６）は杖
【図１】
2007197880.tif 000004
【図２】
2007197880.tif 000005
【図３】
2007197880.tif 000006
【図４】
2007197880.tif 000007
【図５】
2007197880.tif 000008
【手続補正書】
【提出日】平成18年10月10日(2006.10.10)
【手続補正１】
【補正対象書類名】特許請求の範囲
【補正対象項目名】全文
【補正方法】変更
【補正の内容】
【特許請求の範囲】
【請求項１】
足上がりが悪くなり歩行の支障をきたしている人に、ズボンとは別個に単独で独立した伸縮自在物体のゴム等を組み合わせ、歩行することにより体重は交互に足に負担がかかるので、ズボンとは別個で単独で組み合わせられている伸縮物体は体重負荷と連動して足に伝わる、歩行を開始すれば片方の足に負荷がかかり伸縮物体は伸びる，反対の足を上げれば伸縮物体は縮まる、その伸縮する反発力を活用して楽チンで歩行するが出来ることを特徴とした「反発力活用足上がり楽チン伸縮自在装置」
【手続補正２】
【補正対象書類名】明細書
【補正対象項目名】全文
【補正方法】変更
【補正の内容】
【発明の詳細な説明】
【０００１】  足上がりが悪くなって、歩行するのに支障をきたして歩くことが苦痛でたまらないと言う方の話を聞くたびに、何とか良い方法は無いものだろうかと本発明者は日夜不眠不休で研究を重ねた。  その結果、本発明者は、安価で手っ取り早く、しかも仰々しい補助具などを全く用いることなどは無く、通常体で使用ができ、その上本人も体に負担が生じないで歩くことが楽しくなり、且つ健康維持にはこの上も無いという全く新規なる「反発力活用伸縮自在装置」なるものを、この世にはじめて発明をした。  その発明の原理をメカニズムを本日ここに発表するものである。まずはズボンとは別個に独立している細長い空洞に出来ているものを設ける。
【０００２】  そのトンネル内部に伸縮物体のゴム等を貫通し、その伸縮物体の反発力を活用して鈍重な足上がりを負担等をかけることなく軽やかにするものである。
【０００３】  伸縮物体は独立して別個で単独に出来ているものであって、ズボンの内側でも外側に着用してもなんら差し支えは無いが、ズボンは伸縮自在物体の反発力に支障の無い構造のしたズボンで無ければならない。
【０００４】  次に、一例を挙げて説明をする。
【０００５】  まずはズボンの内側に図１、図２、図３、図４、などで示すように細長いトンネル状にした独立した内部に伸縮物体のゴム等を貫通させる、伸縮物体の長さは体格に合わせて調整する構造にしたほうが良い。
【０００６】  次に図１に示すようにトンネル状の空洞部分に伸縮自在物体を片方のトンネル内を貫通させているものを足の足踏まずに履いて反対側に持って行きズボン又はチヨッキ等にバンド止めをつけ腰部の辺りでバンドなどに固定する、その一方を右足とすれば、反対側の左足も同じ構造とする。
【０００７】  次に歩行を開始すれば、伸縮物体は一方の足を後ろに上げれば、上げたほうの足は重力がなくなるのでゴム等の伸縮により縮むので鈍重な足は自然と軽く上がり、反対側の足には全体重が加わっているので伸縮物体は伸びることになる。
【０００８】  このような原理のメカニズムに出来ている本発明の「反発力活用足上がり楽チン伸縮自在装置」なるものを歩行機能回復訓練用具として、この世に初めてここに提供するものである。
【図面の簡単な説明】
【０００９】
【図１】は本発明の裁断した構造を示す裁断拡大側面図。
【図２】は本発明をズボンの内部に設けたことを示す下から見上げ足を乗せない状態を示す正面図。
【図３】は本発明をズボンの中に用いた場合を示す拡大側面図
【図４】は本発明を、ズボンの左足側の片方の内側にしたことを示す透視側面図
【図５】は足上がりが悪くなり、歩行が困難な老人が本発明の「反発力活用足上がり楽チン伸縮自在装置」を用いてズボン下に着用して散歩したら、足上がりが良いので楽しくなり鼻歌を歌いながら散歩していることを示す斜視図。（ズボン点線の部分は内部構造透視斜視図であり、矢印の部分は伸縮物体の反発力を示すものである。）
【符号の説明】
（１）はトンネル、（２）はゴム、（３）はズボン、（４）はトンネル押さえ（このトンネル押さえは無くてもよい、図示せず。）、（５）は伸縮物体の反発力、（６）は杖、